(57)【特許請求の範囲】
【請求項１】
横長孔状の投入口が形成された手前に向かって下り傾斜する天板を有し、新聞・雑誌を回収するためのゴミ箱本体と、
前記投入口の上端に沿って前記天板の裏面に取り付けられる上側案内板と、
前記投入口の下端に沿って前記天板の裏面に取り付けられる下側案内板と、
前記投入口の縦幅よりも狭い縦幅の横長孔状の開口を有し、当該開口の上端が前記投入口の上端と一致した状態で全体が前記投入口に重なるように前記天板の表面に取り付けられる被せ板と、を備え、
前記上側案内板は、前記天板に突設される上側突設面部と、前記天板に接着される上側接着面部と、を有し、
前記下側案内板は、前記天板に突設される下側突設面部と、前記天板に接着される下側接着面部と、を有し、
少なくとも前記上側突設面部と前記下側突設面部との最接近間隔は、前記投入口の縦幅よりも狭いことを特徴とする新聞・雑誌回収箱。
【請求項２】
前記開口の縦幅は、前記最接近間隔と同一であることを特徴とする請求項１に記載の新聞・雑誌回収箱。
【請求項３】
前記上側突設面部と前記上側接着面部とがなす角度は、９０°であり、
前記下側突設面部と前記下側接着面部とがなす角度は、鈍角であることを特徴とする請求項１または２に記載の新聞・雑誌回収箱。
【請求項４】
前記下側突設面部は、先端が下方を向くように湾曲または折曲していることを特徴とする請求項１から３の何れか一項に記載の新聞・雑誌回収箱。
【請求項５】
横長孔状の投入口が形成された天板を有し、新聞・雑誌を回収するためのゴミ箱本体に取り付ける抜き取り防止構造構成部材であって、
前記投入口の上端に沿って前記天板の裏面に取り付けられる上側案内板と、
前記投入口の下端に沿って前記天板の裏面に取り付けられる下側案内板と、
前記投入口の縦幅よりも狭い縦幅の横長孔状の開口を有し、当該開口の上端が前記投入口の上端と一致した状態で全体が前記投入口に重なるように前記天板の表面に取り付けられる被せ板と、からなり、
前記上側案内板は、前記天板に突設される上側突設面部と、前記天板に接着される上側接着面部と、を有し、
前記下側案内板は、前記天板に突設される下側突設面部と、前記天板に接着される下側接着面部と、を有することを特徴とする抜き取り防止構造構成部材。
【請求項６】
前記被せ板の一方の面、前記上側接着面部、および前記下側接着面部には、接着テープが貼付あるいは接着剤が塗布されていることを特徴とする請求項５に記載の抜き取り防止構造構成部材。
【発明の詳細な説明】
【技術分野】
【０００１】
本発明は、新聞や雑誌の抜き取り防止機能を有する新聞・雑誌回収箱と、ゴミ箱に新聞や雑誌の抜き取り防止機能を付与する抜き取り防止構造構成部材と、に関する。
【背景技術】
【０００２】
従来、駅の構内等には、新聞や雑誌を回収するための新聞・雑誌用ゴミ箱が設置されている。
このような新聞・雑誌用ゴミ箱として、新聞，雑誌以外のゴミ（タバコの吸殻やごみ屑、空びんなど）の投入をしにくくするとともに、雨が投入口から侵入して内部の新聞や雑誌が濡れるのを回避するために、傾斜状の天板を有する新聞，雑誌の回収箱と、天板に穿設された新聞，雑誌の投入口と、当該投入口の少なくとも上部および側部を被うように、天板に水平方向に突設されたガイドカバーと、投入口下部の回収箱内に設置された回収容器とを備えた新聞，雑誌の回収装置が提案されている（特許文献１参照）。
【先行技術文献】
【特許文献】
【０００３】
【特許文献１】登録実用新案第３００８１８０号公報
【発明の概要】
【発明が解決しようとする課題】
【０００４】
ところで、近年、新聞・雑誌用ゴミ箱の内部に集積されている新聞や雑誌を、当該新聞・雑誌用ゴミ箱の内部から抜き取る不正行為が多発しているという問題がある。
【０００５】
本発明は、以上のような事情に鑑みてなされたものであり、内部からの新聞や雑誌の抜き取りを防止することが可能な新聞・雑誌回収箱と、ゴミ箱本体に取り付けられ、当該ゴミ箱本体の内部からの新聞や雑誌の抜き取りを防止することが可能な抜き取り防止構造構成部材と、を提供することを目的とするものである。
【課題を解決するための手段】
【０００６】
前記課題を解決するために、本発明の新聞・雑誌回収箱は、
横長孔状の投入口が形成された手前に向かって下り傾斜する天板を有し、新聞・雑誌を回収するためのゴミ箱本体と、
前記投入口の上端に沿って前記天板の裏面に取り付けられる上側案内板と、
前記投入口の下端に沿って前記天板の裏面に取り付けられる下側案内板と、
前記投入口の縦幅よりも狭い縦幅の横長孔状の開口を有し、当該開口の上端が前記投入口の上端と一致した状態で全体が前記投入口に重なるように前記天板の表面に取り付けられる被せ板と、を備え、
前記上側案内板は、前記天板に突設される上側突設面部と、前記天板に接着される上側接着面部と、を有し、
前記下側案内板は、前記天板に突設される下側突設面部と、前記天板に接着される下側接着面部と、を有し、
少なくとも前記上側突設面部と前記下側突設面部との最接近間隔は、前記投入口の縦幅よりも狭くなるように構成したものである。
【０００７】
したがって、少なくとも上側案内板の上側突設面部と下側案内板の下側突設面部との最接近間隔がゴミ箱本体の投入口の縦幅よりも狭いので、新聞や雑誌の抜き取りを防止することができる。
【０００８】
好ましくは、
前記開口の縦幅は、前記最接近間隔と同一であるように構成することが可能である。
【０００９】
かかる構成によれば、被せ板の開口の縦幅がゴミ箱本体の投入口の縦幅よりも狭いので、道具を用いた新聞や雑誌の抜き取りも防止することができる。
【００１０】
好ましくは、
前記上側突設面部と前記上側接着面部とがなす角度は、９０°であり、
前記下側突設面部と前記下側接着面部とがなす角度は、鈍角であるように構成することが可能である。
【００１１】
かかる構成によれば、下側突設面部が邪魔になって、道具を新聞・雑誌回収箱の内部下側（新聞や雑誌が集積されている領域）へと進入させることができないので、新聞や雑誌の抜き取りを効果的に防止することができる。
【００１２】
好ましくは、
前記下側突設面部は、先端が下方を向くように湾曲または折曲しているように構成することが可能である。
【００１３】
かかる構成によれば、投入された新聞や雑誌を下側突設面部によって新聞・雑誌回収箱の内部下側へと案内することができるので、新聞や雑誌のスムーズな投入が可能となる。
【００１４】
本発明の抜き取り防止構造構成部材は、
横長孔状の投入口が形成された天板を有し、新聞・雑誌を回収するためのゴミ箱本体に取り付ける抜き取り防止構造構成部材であって、
前記投入口の上端に沿って前記天板の裏面に取り付けられる上側案内板と、
前記投入口の下端に沿って前記天板の裏面に取り付けられる下側案内板と、
前記投入口の縦幅よりも狭い縦幅の横長孔状の開口を有し、当該開口の上端が前記投入口の上端と一致した状態で全体が前記投入口に重なるように前記天板の表面に取り付けられる被せ板と、からなり、
前記上側案内板は、前記天板に突設される上側突設面部と、前記天板に接着される上側接着面部と、を有し、
前記下側案内板は、前記天板に突設される下側突設面部と、前記天板に接着される下側接着面部と、を有するように構成したものである。
【００１５】
したがって、少なくとも上側突設面部と下側突設面部との最接近間隔がゴミ箱本体の投入口の縦幅よりも狭くなるように上側案内板および下側案内板を天板に取り付けることで、新聞や雑誌の抜き取りを防止することができる。
【００１６】
好ましくは、
前記被せ板の一方の面、前記上側接着面部、および前記下側接着面部には、接着テープが貼付あるいは接着剤が塗布されているように構成することが可能である。
【００１７】
かかる構成によれば、抜き取り防止構造構成部材を手軽に取り付けることができる。
【発明の効果】
【００１８】
本発明によれば、内部からの新聞や雑誌の抜き取りを防止することが可能な新聞・雑誌回収箱を提供することができる。
また、本発明によれば、ゴミ箱本体に取り付けられ、当該ゴミ箱本体の内部からの新聞や雑誌の抜き取りを防止することが可能な抜き取り防止構造構成部材を提供することができる。
【図面の簡単な説明】
【００１９】
【図１】（ａ）は、本実施形態の新聞・雑誌回収箱および抜き取り防止構造構成部材の構成の一例を示す正面図であり、（ｂ）は、（ａ）のＩ−Ｉ線に沿う断面図である。
【図２】（ａ）は、ゴミ箱本体の構成の一例を示す正面図であり、（ｂ）は、（ａ）のII−II線に沿う断面図である。
【図３】本実施形態の新聞・雑誌回収箱および抜き取り防止構造構成部材の要部構成の一例を示す斜視図である。
【図４】本実施形態の新聞・雑誌回収箱の要部構成の他の一例を示す斜視図である。
【発明を実施するための形態】
【００２０】
図面を参照しつつ、本発明にかかる新聞・雑誌回収箱および抜き取り防止構造構成部材の実施形態について説明する。なお、以下に述べる実施形態には、本発明を実施するために技術的に好ましい種々の限定が付されているが、本発明の範囲を以下の実施形態および図示例に限定するものではない。
【００２１】
図１（ａ）は、本実施形態の新聞・雑誌回収箱１および抜き取り防止構造構成部材２０の構成の一例を示す正面図であり、図１（ｂ）は、図１（ａ）のＩ−Ｉ線に沿う断面図である。
新聞・雑誌回収箱１は、ゴミ箱本体１０に、抜き取り防止構造構成部材２０が取り付けられてなる。
【００２２】
図２（ａ）は、ゴミ箱本体１０の構成の一例を示す正面図であり、図２（ｂ）は、図２（ａ）のII−II線に沿う断面図である。
ゴミ箱本体１０は、例えば駅の構内等に既設されている、新聞や雑誌を回収するための新聞・雑誌用ゴミ箱である。ゴミ箱本体１０は、図２に示すように、正面板としての開閉板１１と、背面板１２と、右側面板１３と、左側面板１４と、底面板１５と、山形の天板１６と、からなり、木板や金属板などを用いて組立または成形されている。
【００２３】
開閉板１１、背面板１２、右側面板１３、および左側面板１４は、ゴミ箱本体１０の内部を視認可能となるよう、少なくとも一部が透明（あるいは半透明であってもよい。）になっている。
ゴミ箱本体１０の内部には、例えば透明なゴミ袋が装着される。当該ゴミ袋は、開閉板１１を開放することによって、ゴミ箱本体１０の内部に着脱できるようになっている。
【００２４】
天板１６は、山形状に上方に突出するように、かつ傾斜状に形成され、各傾斜面１６１，１６２の両方（あるいは一方であってもよい。）には、新聞や雑誌が挿入可能な横長孔状の投入口１６ａが穿設されている。
本実施形態においては、投入口１６ａの開口長（横幅）が３５０ｍｍに、開口幅（縦幅）が６５ｍｍに設定されているが、投入口１６ａの横幅や縦幅は適宜変更可能である。
また、天板１６の所定位置には、ゴミ箱本体１０が、新聞・雑誌専用のゴミ箱であることを示す文字１７が、印刷などによって表示されている。
【００２５】
図３は、本実施形態の新聞・雑誌回収箱１および抜き取り防止構造構成部材２０の要部構成の一例を示す斜視図である。なお、図３においては、天板１６の側面部の図示を省略している。
抜き取り防止構造構成部材２０は、図１および図３に示すように、投入口１６ａの上端に沿って天板１６の裏面に取り付けられる上側案内板２１と、投入口１６ａの下端に沿って天板１６の裏面に取り付けられる下側案内板２２と、横長孔状の開口２３ａを有し当該開口２３ａの全体が投入口１６ａに重なるように天板１６の表面に取り付けられる被せ板２３と、を備えて構成される。
【００２６】
上側案内板２１および下側案内板２２は、ゴミ箱本体１０の内部を、新聞や雑誌がスムーズに投入できるが、新聞や雑誌が抜き取りにくい構造にするために設けられ、被せ板２３は、ゴミ投入口を必要最小限の寸法にするために設けられる。
本実施形態の場合、抜き取り防止構造構成部材２０を、両面接着テープを用いて天板１６に取り付けるが、これに限ることはなく、例えば接着剤等を用いて取り付けてもよい。
【００２７】
上側案内板２１は、天板１６に突設される上側突設面部２１１と、天板１６に接着される上側接着面部２１２と、当該上側案内板２１を補強するための上側補強リブ２１３と、からなる。
本実施形態の場合、上側突設面部２１１と上側接着面部２１２とがなす角度（すなわち、上側突設面部２１１と天板１６の傾斜面１６１，１６２とがなす角度）は、９０°である。したがって、図１（ｂ）に示すように、上側突設面部２１１は、天板１６に対して直角に突設される。
【００２８】
また、下側案内板２２は、天板１６に突設される下側突設面部２２１と、天板１６に接着される下側接着面部２２２と、当該下側案内板２２を補強するための下側補強リブ２２３と、からなる。
本実施形態の場合、下側突設面部２２１と下側接着面部２２２とがなす角度（すなわち、下側突設面部２２１と天板１６の傾斜面１６１，１６２とがなす角度）は、鈍角（例えば１１５°）であり、下側突設面部２２１は、先端が下方を向くように湾曲している。したがって、図１（ｂ）に示すように、下側突設面部２２１は、基端部（下側接着面部２２２側の端部）が上側突設面部２１１に徐々に接近し、先端部（下側接着面部２２２とは反対側の端部）が上側突設面部２１１から徐々に遠ざかるような形状をなしている。
【００２９】
上側案内板２１は、上側突設面部２１１と上側接着面部２１２との境界が投入口１６ａの上端に略一致するように天板１６に接着されており、下側案内板２２は、下側突設面部２２１と下側接着面部２２２との境界が投入口１６ａの下端に略一致するように天板１６に接着されている。したがって、上側突設面部２１１と上側接着面部２１２との境界と、下側突設面部２２１と下側接着面部２２２との境界と、の間隔は投入口１６ａの縦幅と略同一である。そして、下側突設面部２２１は、基端部（下側接着面部２２２側の端部）が上側突設面部２１１に徐々に接近するような平面をなしているので、少なくとも上側突設面部２１１と下側突設面部２２１との最接近間隔Ｄは、投入口１６ａの縦幅よりも狭くなっている。
【００３０】
また、下側突設面部２２１は、先端部（下側接着面部２２２とは反対側の端部）が上側突設面部２１１から徐々に遠ざかるような湾曲面をなしており、投入口１６ａに投入された新聞や雑誌を新聞・雑誌回収箱１の内部下側（新聞や雑誌が集積されている領域）へと案内可能となっているので、内部へと新聞や雑誌をスムーズに投入することができる。本実施形態においては、下側突設面部２２１の先端部（湾曲面）の曲率半径が５０ｍｍに設定されているが、下側突設面部２２１の先端部の曲率半径は適宜変更可能である。
【００３１】
被せ板２３は、横長孔状の開口２３ａを有している。
開口２３ａの縦幅は、投入口１６ａの縦幅よりも狭く、かつ、上側突設面部２１１と下側突設面部２２１との最接近間隔Ｄと略同一となるように設定されている。具体的には、本実施形態においては、開口２３ａの開口長（横幅）が３４７ｍｍに、開口幅（縦幅）が４５ｍｍに設定されている。すなわち、本実施形態の場合、上側突設面部２１１と下側突設面部２２１との最接近間隔Ｄは約４５ｍｍである。もっとも、開口２３ａの横幅や縦幅は、雑誌や折りたたんだ新聞が投入できる幅であって、かつ、手全体や腕を入れることが防止できる幅であれば、適宜変更可能である。したがって、上側突設面部２１１や下側突設面部２２１が邪魔になって、新聞・雑誌回収箱１の内部へは指先しか入れることができず、手全体や腕を入れることができないため、内部から新聞や雑誌を容易に抜き取ることができない。
被せ板２３は、開口２３ａの全体が投入口１６ａに重なるように天板１６に取り付けられている。具体的には、本実施形態において、被せ板２３は、開口２３ａの上端と投入口１６ａの上端とが略一致するように、天板１６に接着されている。
【００３２】
次に、抜き取り防止構造構成部材２０のゴミ箱本体１０への取り付け方の一例を説明する。
まず、ゴミ箱本体１０の開閉板１１を開放して、ゴミ箱本体１０の内側から、上側案内板２１および下側案内板２２を天板１６の裏面に取り付ける。その際、上側案内板２１においては、上側突設面部２１１と上側接着面部２１２との境界が投入口１６ａの上端に略一致するように上側接着面部２１２を接着する。また、下側案内板２２においては、下側突設面部２２１と下側接着面部２２２との境界が投入口１６ａの下端に略一致するように下側接着面部２２２を接着する。
次いで、ゴミ箱本体１０の外側から、被せ板２３を天板１６の表面に取り付ける。その際、開口２３ａの上端が投入口１６ａの上端に略一致するように被せ板２３の一方の面を接着する。
このようにして、抜き取り防止構造構成部材２０をゴミ箱本体１０に取り付けることができる。
【００３３】
なお、抜き取り防止構造構成部材２０をゴミ箱本体１０に取り付けられていない状態で販売する場合、抜き取り防止構造構成部材２０は、被せ板２３の一方の面（天板１６に接着される側の面）、上側案内板２１の上側接着面部２１２、および下側案内板２２の下側接着面部２２２に、接着テープが貼付あるいは接着剤が塗布されている状態で、販売することが好ましい。これにより、抜き取り防止構造構成部材２０をゴミ箱本体１０へと取り付ける際に、両面接着テープや接着剤などを別途用意する必要がないため、抜き取り防止構造構成部材２０を手軽に取り付けることができる。
【００３４】
以上説明した本実施形態の新聞・雑誌回収箱１によれば、横長孔状の投入口１６ａが形成された手前に向かって下り傾斜する天板１６を有し、新聞・雑誌を回収するためのゴミ箱本体１０と、投入口１６ａの上端に沿って天板１６の裏面に取り付けられる上側案内板２１と、投入口１６ａの下端に沿って天板１６の裏面に取り付けられる下側案内板２２と、横長孔状の開口２３ａを有し、当該開口２３ａの全体が投入口１６ａに重なるように天板１６の表面に取り付けられる被せ板２３と、を備え、上側案内板２１は、天板１６に突設される上側突設面部２１１と、天板１６に接着される上側接着面部２１２と、を有し、下側案内板２２は、天板１６に突設される下側突設面部２２１と、天板１６に接着される下側接着面部２２２と、を有し、少なくとも上側突設面部２１１と下側突設面部２２１との最接近間隔Ｄは、投入口１６ａの縦幅よりも狭くなるように構成されている。
【００３５】
したがって、少なくとも上側案内板２１の上側突設面部２１１と下側案内板２２の下側突設面部２２１との最接近間隔Ｄがゴミ箱本体１０の投入口１６ａの縦幅よりも狭いので、新聞や雑誌の抜き取りを防止することができる。
なお、天板１６は、切妻屋根のように２つの傾斜面を有するものに限定されず、例えば、片流れ屋根のように１つの傾斜面を有し、当該傾斜面に投入口１６ａが形成されたものであってもよい。
【００３６】
また、本実施形態の新聞・雑誌回収箱１によれば、開口２３ａの縦幅は、上側突設面部２１１と下側突設面部２２１との最接近間隔Ｄと同一であるように構成することが可能である。
【００３７】
このように構成することによって、被せ板２３の開口２３ａの縦幅がゴミ箱本体１０の投入口１６ａの縦幅よりも狭いので、開口２３ａの縦幅が投入口１６ａの縦幅と同等またはそれ以上である場合と比較して、マジックハンド等の道具が操作し難くなる。したがって、道具を用いた新聞や雑誌の抜き取りも防止することができる。
【００３８】
また、本実施形態の新聞・雑誌回収箱１によれば、上側突設面部２１１と上側接着面部２１２とがなす角度は、９０°であり、下側突設面部２２１と下側接着面部２２２とがなす角度は、鈍角であるように構成することが可能である。
【００３９】
このように構成することによって、下側突設面部２２１が邪魔になって、手や腕だけでなく、マジックハンド等の道具も新聞・雑誌回収箱１の内部下側（新聞や雑誌が集積されている領域）へと進入させることができないので、新聞や雑誌の抜き取りを効果的に防止することができる。
【００４０】
また、本実施形態の新聞・雑誌回収箱１によれば、下側突設面部２２１は、先端が下方を向くように湾曲しているように構成することが可能である。
【００４１】
このように構成することによって、投入された新聞や雑誌を下側突設面部２２１によって新聞・雑誌回収箱１の内部下側へと案内することができるので、投入された新聞や雑誌が上側案内板２１や下側案内板２２に引っ掛かることがない。したがって、新聞や雑誌のスムーズな投入が可能となる。
なお、下側突設面部２２１は、先端が下方を向くように折曲していてもよい。この場合も、投入された新聞や雑誌を下側突設面部２２１によって新聞・雑誌回収箱１の内部下側へと案内することができる。
【００４２】
本実施形態の抜き取り防止構造構成部材２０によれば、横長孔状の投入口１６ａが形成された天板１６を有し、新聞・雑誌を回収するためのゴミ箱本体１０に取り付ける抜き取り防止構造構成部材であって、投入口１６ａの上端に沿って天板１６の裏面に取り付けられる上側案内板２１と、投入口１６ａの下端に沿って天板１６の裏面に取り付けられる下側案内板２２と、横長孔状の開口２３ａを有し、当該開口２３ａの全体が投入口１６ａに重なるように天板１６の表面に取り付けられる被せ板２３と、からなり、上側案内板２１は、天板１６に突設される上側突設面部２１１と、天板１６に接着される上側接着面部２１２と、を有し、下側案内板２２は、天板１６に突設される下側突設面部２２１と、天板１６に接着される下側接着面部２２２と、を有するように構成されている。
【００４３】
したがって、少なくとも上側突設面部２１１と下側突設面部２２１との最接近間隔Ｄがゴミ箱本体１０の投入口１６ａの縦幅よりも狭くなるように上側案内板２１および下側案内板２２を天板１６に取り付けることで、新聞や雑誌の抜き取りを防止することができる。
【００４４】
また、本実施形態の抜き取り防止構造構成部材２０によれば、被せ板２３の一方の面、上側接着面部２１２、および下側接着面部２２２には、接着テープが貼付あるいは接着剤が塗布されているように構成することが可能である。
【００４５】
このように構成することによって、抜き取り防止構造構成部材２０をゴミ箱本体１０へと取り付ける際に、両面接着テープや接着剤などを別途用意する必要がないため、抜き取り防止構造構成部材２０を手軽に取り付けることができる。
【００４６】
なお、今回開示された実施形態はすべての点で例示であって制限的なものではないと考えられるべきである。また、前述の実施形態の各構成を組み合わせて適用しても良い。本発明の範囲は上記した説明ではなくて特許請求の範囲によって示され、特許請求の範囲と均等の意味および範囲内でのすべての変更が含まれることが意図される。
【００４７】
例えば、ゴミ箱本体１０は、既設のゴミ箱に限定されるものではなく、新設のゴミ箱であってもよい。
【００４８】
新設のゴミ箱の場合、天板１６と、上側案内板２１の上側突設面部２１１および下側案内板２２の下側突設面部２２１と、が一体的に構成されていてもよい。すなわち、新設のゴミ箱の場合、前述の実施形態のように、ゴミ箱本体１０に抜き取り防止構造構成部材２０を後から取り付ける方法ではなく、図４に示すように、天板１６を新たに製造する際に、横長孔状の投入口１６ａの上端および下端から天板１６を構成する金属等の部材を投入口１６ａの内方向（ゴミ箱の内部に至る方向）に延伸させることにより、上側案内板２１の上側突設面部２１１や下側案内板２２の下側突設面部２２１を形成する方法でもよい（この場合、上側接着面部２１２や下側接着面部２２２はなくなる。）。これにより、抜き取り防止構造構成部材２０を後から取り付ける工程が不要となり、両面接着テープや接着剤などを別途用意する必要がなくなる。
また、天板１６と上側突設面部２１１および下側突設面部２２１とを一体的に構成する場合、図４に示すように、天板１６に設ける横長孔状の投入口１６ａの開口幅（縦幅）を、雑誌や折りたたんだ新聞が投入できる幅であって、かつ、手全体や腕を入れることができない幅（例えば、４５ｍｍ）に設定してもよい。これにより、被せ板２３を不要とすることができる。投入口１６ａの縦幅をこのように設定する場合、上側突設面部２１１と下側突設面部２２１との最接近間隔Ｄは、投入口１６ａの縦幅（例えば、４５ｍｍ）と同一であることが好ましい。
なお、天板１６と上側突設面部２１１および下側突設面部２２１とを一体的に構成する場合、下側突設面部２２１を先端が下方を向くように湾曲または折曲させることや、上側突設面部２１１や下側突設面部２２１と天板１６の傾斜面１６１，１６２とがなす角度などその他の構成は、前述の実施形態と同様とすることができる。
【符号の説明】
【００４９】
１  新聞・雑誌回収箱
１０  ゴミ箱本体
１６  天板
１６ａ  投入口
２０  抜き取り防止構造構成部材
２１  上側案内板
２２  下側案内板
２３  被せ板
２３ａ  開口
２１１  上側突設面部
２１２  上側接着面部
２２１  下側突設面部
２２２  下側接着面部
Ｄ  最接近間隔
【図１】
0006530917.tif 000002
【図２】
0006530917.tif 000003
【図３】
0006530917.tif 000004
【図４】
0006530917.tif 000005